(57)【特許請求の範囲】
【請求項１】
制御信号の伝送に使用される制御用チャネルと、データの伝送に使用されるデータ用チャネルとを備えたＩＳＤＮ回線を介して接続され、該ＩＳＤＮ回線を介して互いに画像信号又は音声信号を交換可能に構成された端末側システム及びセンター側システムを含むテレビ会話システムにおいて、
前記端末側システムは、該端末側システム自体の異常を検出する検出手段と、該端末側システムの利用者の異常を検出する検出手段と、該利用者の意思を入力する検出手段と、前記各異常及び前記意思を前記制御信号の伝送に使用される制御用チャネルとしてのＤチャネルを介して前記センター側システムに通報する第一の緊急通報手段と、該第一の緊急通報手段による通報後に該第一の緊急通報手段が通報したのと同一の前記各異常及び前記意思を前記データの伝送に使用されるデータ用チャネルとしてのＢチャネルを介して前記センター側システムに通報する第二の緊急通報手段とを備え、該第一及び第二の緊急通報手段による通報の二重化により情報喪失を防ぐことを特徴とするテレビ会話システム。
【請求項２】
制御信号の伝送に使用される制御用チャネルと、データの伝送に使用されるデータ用チャネルとを備えたＩＳＤＮ回線を介して接続され、該ＩＳＤＮ回線を介して互いに画像信号又は音声信号を交換可能に構成された端末側システム及びセンター側システムを含むテレビ会話システムにおいて、
前記端末側システムは、
画像信号を出力するカメラ部と、
音声信号を入力するスピーカー部と、
前記データ用チャネルを介して前記画像信号及び前記音声信号をセンター側システムとの間で交換するために該各信号を符号化・復号化する画像等符号復号化部と、
該端末側システム自体の異常を検出する検出手段としての、該画像等符号復号化部の動作を制御するとともに、該動作の異常を検出する制御部及び、該制御部の動作の異常を検出する監視部と、
該端末側システムの利用者の異常を検出する検出手段としての、トイレに取り付けたセンサー、寝返りセンサー、いびきセンサー、及び人体の移動センサーの群から選ばれる環境センサーであって、一日に一度も環境センサーが反応しない場合は何らかの異常が発生したと判定するタイプの環境センサーと、
該利用者の意思を入力する検出手段としての、センター呼び出しボタンとを備え、
前記制御部が、前記各異常及び前記意思を前記制御信号の伝送に使用される制御用チャネルとしてのＤチャネルを介して前記センター側システムに通報する第一の緊急通報手段として構成され、前記画像等符号復号化部が、該第一の緊急通報手段による通報後に該第一の緊急通報手段が通報したのと同一の前記各異常及び前記意思を前記データの伝送に使用されるデータ用チャネルとしてのＢチャネルを介して前記センター側システムに通報する第二の緊急通報手段として構成され、該第一及び第二の緊急通報手段による通報の二重化により情報喪失を防ぐことを特徴とするテレビ会話システム。
【請求項３】
前記端末側システムには、人間又は動物を検査又は治療する医療・計測機器が接続され、
前記センター側システムから、前記ＩＳＤＮ回線を介して前記医療・計測機器を制御可能に構成された請求項１又は２記載のテレビ会話システム。
【請求項４】
前記センター側システムから、前記ＩＳＤＮ回線を介して前記環境センサーの動作状態をモニタ可能に構成された請求項２記載のテレビ会話システム。
【発明の詳細な説明】
【０００１】
【発明の属する技術分野】
本発明は、テレビ会話システムに関するものである。
【０００２】
【従来の技術】
高齢者の在宅介護（ケア）、在宅看護、在宅医療、生涯学習等を通信回線で接続された遠隔地から支援するためにテレビ会話システムの利用が検討・実験されている。
【０００３】
また、高齢者は健康状態が急変することがあり、それを緊急に通報する必要があるため、緊急通報システムを必要としている。この緊急通報システムの通信設備には、▲１▼停電対策が施されていること、▲２▼緊急通報が多重化されていること、▲３▼故障復旧機能を備えていること、▲４▼遠隔地からの故障検出機能を備えていること等の高い信頼性が要求される。
【０００４】
【発明が解決しようとする課題】
ところが、前記テレビ会話システムとともに緊急通報システムを併設するとコスト（初期コスト、ランニングコスト）が高くなるという問題がある。
【０００５】
前記テレビ会話システムの画像信号及び音声信号を通信回線に伝送するためテレビ会話システムの通信設備に、緊急通報信号を伝送させることにより、緊急通報システムの通信設備を省くことも考えられる。しかし、従来のテレビ会話システムの通信設備は緊急通報システムの通信設備ほどの高い信頼性を備えていないという問題があり、緊急通報信号の伝送に利用することができない。
【０００６】
本発明の目的は、上記課題を解決し、緊急通報信号を高信頼性をもって伝送することができるテレビ会話システムを提供することにある。
【０００７】
【課題を解決するための手段】
上記目的を達成するために、本発明のテレビ会話システムは、制御信号の伝送に使用される制御用チャネルと、データの伝送に使用されるデータ用チャネルとを備えたＩＳＤＮ回線を介して接続され、該ＩＳＤＮ回線を介して互いに画像信号又は音声信号を交換可能に構成された端末側システム及びセンター側システムを含むテレビ会話システムにおいて、前記端末側システムは、該端末側システム自体の異常を検出する検出手段と、該端末側システムの利用者の異常を検出する検出手段と、該利用者の意思を入力する検出手段と、前記各異常及び前記意思を前記制御信号の伝送に使用される制御用チャネルとしてのＤチャネルを介して前記センター側システムに通報する第一の緊急通報手段と、該第一の緊急通報手段による通報後に該第一の緊急通報手段が通報したのと同一の前記各異常及び前記意思を前記データの伝送に使用されるデータ用チャネルとしてのＢチャネルを介して前記センター側システムに通報する第二の緊急通報手段とを備え、該第一及び第二の緊急通報手段による通報の二重化により情報喪失を防ぐことを特徴としている。ここで、本書において、画像は、映像をも含む意味で使用している。
【０００８】
また、本発明のテレビ会話システムは、制御信号の伝送に使用される制御用チャネルと、データの伝送に使用されるデータ用チャネルとを備えたＩＳＤＮ回線を介して接続され、該ＩＳＤＮ回線を介して互いに画像信号又は音声信号を交換可能に構成された端末側システム及びセンター側システムを含むテレビ会話システムにおいて、
前記端末側システムは、
画像信号を出力するカメラ部と、
音声信号を入力するスピーカー部と、
前記データ用チャネルを介して前記画像信号及び前記音声信号をセンター側システムとの間で交換するために該各信号を符号化・復号化する画像等符号復号化部と、
該端末側システム自体の異常を検出する検出手段としての、該画像等符号復号化部の動作を制御するとともに、該動作の異常を検出する制御部及び、該制御部の動作の異常を検出する監視部と、
該端末側システムの利用者の異常を検出する検出手段としての、トイレに取り付けたセンサー、寝返りセンサー、いびきセンサー、及び人体の移動センサーの群から選ばれる環境センサーであって、一日に一度も環境センサーが反応しない場合は何らかの異常が発生したと判定するタイプの環境センサーと、
該利用者の意思を入力する検出手段としての、センター呼び出しボタンとを備え、
前記制御部が、前記各異常及び前記意思を前記制御信号の伝送に使用される制御用チャネルとしてのＤチャネルを介して前記センター側システムに通報する第一の緊急通報手段として構成され、前記画像等符号復号化部が、該第一の緊急通報手段による通報後に該第一の緊急通報手段が通報したのと同一の前記各異常及び前記意思を前記データの伝送に使用されるデータ用チャネルとしてのＢチャネルを介して前記センター側システムに通報する第二の緊急通報手段として構成され、該第一及び第二の緊急通報手段による通報の二重化により情報喪失を防ぐことを特徴としている。
【００１１】
前記端末側システムは、外形がスピーカー状に形成されたスピーカー型カメラを備えた態様を例示できる。前記カメラは赤外線カメラである態様を例示できる。
【００１２】
前記スピーカー型カメラは、前記音声信号を出力するマイク部を備えた態様を例示できる。
【００１３】
前記端末側システムには、人間又は動物を検査又は治療する医療・計測機器が接続され、前記センター側システムから、前記ＩＳＤＮ回線を介して前記医療・計測機器を制御可能に構成された態様を例示できる。
【００１４】
前記センター側システムから、前記ＩＳＤＮ回線を介して前記環境センサーの動作状態をモニタ可能に構成された態様を例示できる。
。
【００１５】
【発明の実施の形態】
図１〜図３は本発明を実施した実施形態のテレビ会話システム１を示している。本テレビ会話システム１は、図１に示すように通信回線としての総合デジタルサービス網（Integrated Services Digital Network。以下「ＩＳＤＮ」という。）回線２を介して接続され、該通信回線を介して互いに画像信号や音声信号等を交換可能に構成された端末側システム３及びセンター側システム４を含んでいる。端末側システム３は、ターミナルアダプタ（以下、「ＴＡ」という。）５を介してＩＳＤＮ回線２に接続された端末制御器６を有しており、該端末制御器６には、各種の情報機器が接続されるようになっている。センター側システム４は、端末側システム３との間のＩＳＤＮ回線２の状態を監視する回線状態監視システム１０と、端末側システム３の情報を収集する端末情報収集システム１１と、前記情報機器を介して各端末側システム３の利用者とコミュニケーションを行うための端末間通話用テレビ電話システム１２と、前記情報機器を介して同利用者の情報を管理する情報統括管理システム１３と、前記情報機器を介して同利用者に情報を提供する情報提供システム１４とを備えている。
【００１６】
《ＩＳＤＮ回線》
ＩＳＤＮ回線２は、制御用のデジタル信号の伝送に使用される制御用チャネル（以下、「Ｄチャネル」という。）と、通常のデジタルデータの伝送に使用されるデータ用チャネル（以下、「Ｂチャネル」という。）とを含んでおり、Ｄチャネルはお客様情報部分では利用者による使用料の負担は通常は不要となっている。なお、通信回線としてのＩＳＤＮ回線２は例示であって、基本的にマルチメディア情報を入出力できるもので有れば種類を問わない。
【００１７】
《端末側システム》
端末側システム３の端末制御器６は、図２に示すようにＩＳＤＮ回線２を介して画像信号、音声信号、緊急通報信号、センサ信号等をセンター側システム４との間で交換するために該各信号を符号化・復号化する画像等符号復号化部２０と、該画像等符号復号化部２０の動作を制御するとともに、該動作の異常を検出する制御部２１と、該制御部２１の動作の異常を検出する監視部２２とを備えている。この制御部２１及び監視部２２が端末側システム３自体の異常を検出する検出手段である。
【００１８】
画像等符号復号化部２０には、情報機器として、画像信号を入力するモニター２５と、画像信号を出力するカメラ２６と、音声信号を入出力するとともに画像信号を出力するスピーカー型カメラ２７と、音声信号を出力するマイク２８と、音声信号を入力するスピーカー２９と等が各接続コネクター（図示略）を介して接続される。
【００１９】
制御部２１には、ＯＮ／ＯＦＦ信号を出力するセンター呼び出しボタン３０が接続されている。このセンター呼び出しボタン３０は、端末側システム３の利用者の意思（異常時等）を入力する手段（検出手段）である。そして、センサー信号を出力するセンサー３１と、センター側システム４からの施錠又は解鍵信号に応じて施錠又は解鍵動作をするカギ収納箱３２と、インターネット接続サービス等で使用される情報操作端末３３と等が各接続コネクター（図示略）を介して接続されるとともに医療・計測機器、パーソナルコンピュータ等のその他情報機器３４が拡張コネクター３６を介して適宜接続されるようになっている。医療・計測機器としては、特に限定されないが、人間又は動物を検査・治療するものを例示できる。各情報機器は、端末側システム３自体の異常を検出し、又は該端末側システム３の利用者の異常を検出する検出手段である。
【００２０】
端末制御器６は、基本的に一般通信設備、緊急通報設備、及びその他の機能を併せ持っている。
【００２１】
端末制御器の一般通信設備としての機能は次の通りである。
▲１▼  複数の画像信号・音声信号をセンター側システム４との間で双方向に伝送する装置（画像等符号復号化部２０）としての機能。
▲２▼  前記▲１▼における画像信号として高詳細静止画像信号及び動画像信号の選択送受信をする機能。
▲３▼  センサー３１との連係機能、センサー３１の動作履歴の保持機能、及び設定されたセンサー状態に達した場合センター側システム４を呼び出すセンサー発呼機能。
▲４▼  センター側システム４からの情報機器の制御機能。例えば、カメラ２６及びその電動雲台（図示略）の制御機能（撮影、チルト、各種制御量のプリセット等）や、カギ収納箱３２の制御機能（センター側システム４から施錠・解錠を行う等）を例示できる。
▲５▼  センター側システム４との制御情報交換機能（情報通信機能）。
▲６▼  端末制御器６本体に複数個設置されたセンター呼び出しボタン３０（複数個の内のいくつかは端末制御器６から離れた場所に延長可能となっている）によるセンター呼び出し機能。
▲７▼  情報操作端末３３（ジョイスティックやタッチパネル等）を接続することによる情報操作機能。
▲８▼  所定のインターフェース仕様で設計された１又は２以上のその他情報機器３４（心電図計、血圧計、体温計等の医療・計測機器や、パーソナルコンピュータ等）を拡張コネクター３６を介して接続する拡張機能。その他情報機器３４は、センター側システム４から、ＩＳＤＮ回線２を介して制御可能になっている。
【００２２】
端末制御器６の緊急通報設備としての機能は次の通りである。
▲１▼  停電対策機能：端末制御器６及びＴＡ５への電力供給は商用電源を使用するが、停電発生時にはそれぞれ内蔵バッテリーへ切り替えることにより、一定時間のシステム保護を可能としている。また、ＴＡ５経由、又は画像等符号復号化部２０・ＴＡ５経由（通知経由の多重化）で、停電及びその復旧や、内蔵バッテリー異常等の情報をセンター側システム４へ通知する。
【００２３】
▲２▼  緊急通報の多重化機能：端末制御器６は、センター呼び出しボタン３０がＯＮされ、センター側システム４へ緊急通報を行う場合に、まずその制御部２１がＩＳＤＮ回線２のＤチャネル経由で情報通知を一度行い（第一の緊急通報手段）、その後に画像等符号復号化部２０がＩＳＤＮ回線２のＢチャネル経由で情報通知を行う（第二の緊急通報手段）。このことにより、いずれかの情報通知が失敗した場合でも情報喪失を防ぐことができ、信頼性を向上させることができる。また、一方のチャネルが混み合っているときも、他方のチャネル経由での情報通知を試みるようになっているため、情報喪失を防ぐことができる。
【００２４】
▲３▼  制御部２１及び画像等符号復号化部２０の監視と復旧機能：端末制御器６は内蔵している制御部２１の動作に異常が有るかどうかを常に機械レベルで監視する監視部２２（例えば、ウォッチドッグタイマー等）を備えている。この監視において異常ありと判断すると、監視部２２は自動的に制御部２１をリセットする。また、監視部２２はセンター側システム４に対して機械レベルにて画像等符号復号化部２０を発呼させ異常を知らせると共に、センター側システム４からの遠隔メンテナンス（音声信号を使用した機械レベル操作機能）を可能とする。また、画像等符号復号化部２０及びＴＡ５に対し異常が有るかどうかを常に制御部２１が監視を行っている。この監視において異常ありと判断すると、制御部２１は自動的に画像等符号復号化部２０又はＴＡ５をリセットする。また、制御部２１はセンター側システム４に対して画像等符号復号化部２０又はＴＡ５の正常な部分を使い、異常を知らせる。
【００２５】
▲４▼  センター側システム４からの定期回線設備監視機能：本テレビ会話システム１では、センター側システム４から各端末制御器６に対して定期的に呼び出しを行うことにより、ＩＳＤＮ回線２又はＴＡ５に異常が無いかを監視するようになっている。もし、ＩＳＤＮ回線２に異常が発生した場合は、センター側システム４ではアラームを発生させるようになっている。これにより、早期発見にて端末側システム３の各機器の正常化を行うことができるようになっている。
【００２６】
端末制御器６のその他の機能は次の通りである。まず、端末制御器６に音声発生器を内蔵させると、モーニングサービス、ナイトサービスを実現できるとともに、これをセンター側システム４の担当者によるケアコミュニケーションと併用することによりケアコミュニケーション設備としての用途にもつながる。さらに、センター側システム４の情報提供システム（後述）との連係により、在宅インターネット接続サービスやビデオ配信サービス、環境映像の提供、他の利用者との複数人数ディスカッションを可能としている。
【００２７】
次に、端末制御器６に接続されるセンサー３１に関してより詳細に説明すると、該端末制御器６は、複数のセンサー３１からのセンサ信号を入力し、該センサ信号を画像等符号復号化部２０を経由してセンター側システム４に伝送することにより、センター側システム４で環境センサーの動作状態をモニタするとともに、該動作状態に連係してセンター側システム４を動作させることができるようになっている。センサー３１としては、環境センサーを扱うことも可能としている。この環境センサーとは、例えば、トイレ等にセンサーを取り付け、一日に一度もセンサーが反応しない場合は、何らかの異常が発生したと判定するタイプのセンサーをいう。環境センサーは、寝たきり老人の寝返りセンサーや、いびきセンサー、人体の移動センサ−等としても応用することができる。
【００２８】
また、端末制御器６に接続されるカメラ２６、マイク２８等に関してより詳細に説明すると、該端末制御器６は、該カメラ２６、マイク２８等を介して複数の映像・音声が入力可能となっている。通常、カメラ２６、マイク２８及びスピーカー２９はそれぞれ別個に設置されるが、画像信号を出力するカメラ部と、音声信号を入力するスピーカー部と、音声信号を出力するマイク部とを備えるとともに、外形がスピーカー状に形成されたスピーカー型カメラを利用することも可能である。このスピーカー型カメラ２７は下記の機能を有している。
【００２９】
▲１▼  形状が小型スピーカーのため、利用者に違和感を感じさせない（監視されているという意識をさせない）演出が可能となる。また、全ての機能が一体化されているのでコンパクトに設置することができる。
▲２▼  内部に赤外線投光器を内蔵し、カメラ自身もまた赤外線カメラのため夜間においても十分に監視することができる。
▲３▼  昼間・夜間ともにシャープな映像を映し出すために、カメラレンズ部へ赤外線のみを通すフィルタを設置している。可視光線と赤外線では波長が異なるため一方へピントを合わせると他方のピントが若干甘くなるが、可視光線を最初からカメラへ入光しないようにすることで常にシャープな映像を得ることができるからである。
▲４▼  スピーカーにカメラ及びマイクを内蔵しているので、視線が利用者と合わせ易く（人間の習性として声のする方を見ながら話をするという事実がある。）、特定の音声を高効率で集音することができる。また、スピーカーにはハウリング対策も施されている。
【００３０】
また、端末制御器６が備える拡張コネクター３６に関してより詳細に説明すると、該拡張コネクター３６は、ＩＳＤＮ回線２を介して外部機器をセンター側システム４に接続するためのものである。この拡張コネクター３６の在宅介護、在宅看護、在宅医療の用途としては、その他情報機器３４（外部機器）として、心拍センサーや検温器等を接続することによって遠隔地（センター側システム４に限定されない。）から医療行為（情報の送受・テレビ電話による問診等）を行うことが挙げられる。また、その他情報機器３４としてコンピュータ等の情報機器を接続することも可能なため、情報をセンター側システム４との間で双方向にやり取りすることもできる。
【００３１】
《センター側システム》
次に、センター側システム４について詳細に説明すると、該センター側システム４は、回線状態監視システム１０、端末情報収集システム１１、端末間通話用テレビ電話システム１２、情報統括管理システム１３、及び情報提供システム１４を備えている。各システムは、ＩＳＤＮ回線２に対して発呼動作や情報通信動作が可能な回線制御装置１７を用いて構成されている（なお、端末間通話用テレビ電話システム１２では、各テレビ電話機１６が、回線制御装置１７と同様の機能を内蔵している。）。なお、各システムは別個の機器で構成することもできるが、かならずしも別個の機器として分離して構成する必要は無い。
【００３２】
回線制御装置１７は、ＩＳＤＮ回線２等とＤＳＵ（Digital Service Unit：デジタル回線終端装置、図示略）を経由して接続される情報終端装置である。本実施形態では、画像信号や音声信号や各種情報を符号復号化する装置として具体化されている。この回線制御装置１７にコンピュータを接続することにより、本実施形態のような制御をコンピュータによって実現することができる。
【００３３】
回線状態監視システム１０は、各端末制御器６に対して一定時間間隔でＤチャネルレベルでの回線通知機能を使用し、各端末側システム３までのＩＳＤＮ回線２が正常に稼働しているかをテストする。そして、後述する情報統括管理システム１３へテスト結果を出力する。なお、上記回線テストはＤチャネルを利用しているため無課金であり、低コストで行うことができる。
【００３４】
端末情報収集システム１１は、各端末制御器６からＴＡ５を利用したＤチャネル情報通知による端末情報を収集するためのものである。また、画像等符号復号化部２０経由での受信データについても本システムにおいて収集される。回線状態監視システム１０と同様、収集された情報は後述する情報統括管理システム１３へ出力される。なお、上記情報通知はＤチャネルを利用しているため、無課金であり、低コストで行うことができる。
【００３５】
端末間通話用テレビ電話システム１２は、端末側システム３の利用者とセンター側システム４又は他のセンター側システムの運営関連担当者との間で、画像等符号復号化部２０・テレビ電話機１６等による通話を行うためのシステムである。回線状態監視システム１０及び端末情報収集システム１１で収集された内容をもとに（緊急通報・他のセンサー信号等）、端末側システム３の利用者との間で通話を行うことができる。また、在宅看護システム等の利用においては、図３に示すようにマトリクススイッチャー４０等を使用した３者通話機能を用いて端末側システム３と、センター側システム４と、主治医宅７との間での直接通話が可能である。
【００３６】
センター側システム４では、ハウリング対策及びセンター側システム４の担当者の心理的側面を考え、受信音声は常時、外付けのモニター２５が内蔵するスピーカーへ出力されるようになっている。対話を必要とするときは、マイク一体型ヘッドホンからなるフリーハンド会話システム（図示略）を使用し、この間は外付けのモニター２５の音声は切断されるようになっている。外付けのモニター２５のスピーカーとフリーハンド会話システムのマイクとを併用するとハウリングが発生する可能性があるからである。なお、外付けのモニター２５のスピーカーを使用せず、フリーハンド会話システムを常時使用することもでき、そうするとハウリングが発生する可能性は低くなる。しかし、こうするとセンター側システム４の担当者は常時ヘッドフォンを使用することとなるため心身的束縛感を増大させることになるので好ましくない。
【００３７】
情報統括管理システム１３は、回線状態監視システム１０及び端末情報収集システム１１により、各端末側システム３から収集した情報や、センター側システム４の担当者による入力ログ情報等の統括管理を行うためのシステムである。具体的には、収集情報の印刷・集計・アラーム表示（音）等を管理・生成する。また、各端末利用者の情報（緊急連絡先・近隣地図等）等も保持している。端末間通話用テレビ電話システム１２との連動により自動定期通話等もすることができる。
【００３８】
情報提供システム１４は、インターネット接続サービス、センター提供情報サービス、ビデオ配信サービス、及び多人数ディスカッションサービス等を提供する。
【００３９】
インターネット接続サービスとセンター提供情報サービスは、センター側システム４でインターネット網８に接続するとともに、それぞれインターネットのコンテンツ（情報内容）とセンター提供情報コンテンツを閲覧するための映像を生成し、画像等符号復号化部２０等を介して端末側システム３に配信するサービスである。端末側システム３の利用者は、情報操作端末３３（ジョイスティックやタッチパネル）を操作することによりセンター側システム４に指示を送るようになっている。これにより端末側システム３の利用者は、センター側システム４で用意されたメニューを操作し、興味の有る項目を選択するだけでコンテンツを呼び出すことができる。前記ジョイスイティック等は身体障害者等の幅広い人が利用できるように、片手（又は両手（それぞれの手は握った状態でもよい）で挟持すること等）で使用可能なものである。
【００４０】
ビデオ配信サービスは、センター側システム４のビデオコンテンツサーバーに蓄積されたビデオコンテンツを画像等符号復号化部２０等にて配信するサービスである。端末側システム３の利用者のビデオコンテンツの選択方法は、インターネット接続サービスの操作方法と同様である。
【００４１】
多人数ディスカッションサービスは、センター側システム４に配されたディスカッションロビー上で気に入った相手を選択し（選択方法は、インターネット接続サービスの操作方法と同様）、同時に接続（例えば、多地点リング接続）して会話と相手の顔などの表情とを楽しむことができるサービスである。
【００４２】
なお、本発明は前記実施形態の構成に限定されず、例えば以下のように、発明の趣旨から逸脱しない範囲で適宜変更して具体化することもできる。
（１）端末側システム３の監視部２２又は制御部２１は、端末制御器６の異常をＤチャネルを介してセンター側システム４に通報する第一の緊急通報手段と、端末制御器６の異常をＢチャネルを介してセンター側システム４に通報する第二の緊急通報手段とを備えた態様とすること。
（２）通信回線を他のデジタル通信回線に変更すること。
【００４３】
【発明の効果】
以上詳述したように、請求項１〜９の発明に係るテレビ会話システムによれば、緊急通報信号を高信頼性をもって伝送することができるという優れた効果を奏する。
【図面の簡単な説明】
【図１】本発明を具体化した実施形態のテレビ会話システムの全体構成を示すブロック図である。
【図２】同テレビ会話システムにおける端末側システムの端末制御器の構成を示すブロック図である。
【図３】同テレビ会話システムによる３者通話時の状態を示すブロック図である。
【符号の説明】
１    テレビ会話システム
２    ＩＳＤＮ回線
３    端末側システム
４    センター側システム
６    端末制御器
２０    画像等符号復号化部
２１    制御部
２２    監視部
２７    スピーカー型カメラ
３０    センター呼び出しボタン
３１    センサー
３６    拡張コネクター
４０    マトリクススイッチャー
【図１】
0004451958.tif 000002
【図２】
0004451958.tif 000003
【図３】
0004451958.tif 000004